(57)【特許請求の範囲】
【請求項１】
第１のモバイル・デバイス（１）が、
第１のワイヤレス・ネットワーク（３）に接続することなく、前記第１のワイヤレス・ネットワーク（３）を検出し、
前記第１のワイヤレス・ネットワーク（３）の検出をサーバ（２）に報知し、
前記報知は、固有識別コードによる前記第１のワイヤレス・ネットワーク（３）の識別を含み、
前記第１のワイヤレス・ネットワーク（３）の通信エリア内の他のモバイル・デバイス（１’，１”）から情報を受信し、
第１のワイヤレス・ネットワーク（３）に接続することなく、前記第１のワイヤレス・ネットワークの通信エリア内のモバイル・デバイス（１，１’，１”）間の仮想通信空間を確立し、
前記第１のモバイル・デバイス（１）が前記第１のワイヤレス・ネットワーク（３）の通信エリアに入ると、前記サーバ（２）に第１のＧＰＲＳ信号（４）を送信し、
前記第１のＧＰＲＳ信号（４）は少なくとも前記第１のワイヤレス・ネットワーク（３）に固有な識別番号及びユーザの識別コードを有し、
前記第１のＧＰＲＳ信号（４）を受信した後、サーバ（２）は、前記第１のワイヤレス・ネットワーク（３）の前記通信エリア内の第２のモバイル・デバイス（１’）の存在を検証し、
前記サーバ（２）は、前記第１のワイヤレス・ネットワーク（３）の前記通信エリア内の前記第１のモバイル・デバイス（１）の存在を前記第２のモバイル・デバイス（１’）に対して示し、
前記第１のモバイル・デバイス（１）は、前記第１のモバイル・デバイス（１）に関連付けられている前記サーバ（２）に記憶されているパブリック情報を前記第２のモバイル・デバイスと共有し、
前記第２のモバイル・デバイス（１’）によって前記第１のモバイル・デバイス（１）の存在が判定されると、前記第２のモバイル・デバイス（１’）が第２のＧＰＲＳ信号（４’）を前記サーバ（２）に送信し、
前記第２のＧＰＲＳ信号（４’）は少なくとも前記第１のモバイル・デバイス（１）との通信了承を含み、
前記第１のワイヤレス・ネットワーク（３）と関連付けられている仮想通信空間は、前記第１のモバイル・デバイス（１）及び前記第２のモバイル・デバイス（１’）が前記第１のワイヤレス・ネットワーク（３）の前記通信エリア内に存在する場合のみ、前記第１のモバイル・デバイス（１）及び前記第２のモバイル・デバイス（１’）の間の通信を許可するように構成された前記サーバ（２）で生成され、
前記第１のモバイル・デバイス（１）及び前記第２のモバイル・デバイス（１’）は、ＧＰＲＳ、ＵＭＴＳもしくは前記サーバ（２）で確立された前記仮想通信空間にアクセスするためにだけ開放されるワイヤレス・ポートを介して、前記サーバ（２）で確立された仮想通信空間にアクセスする、
仮想通信空間の生成を含む通信方法。
【請求項２】
前記第１のモバイル・デバイス（１）が前記第１のワイヤレス・ネットワーク（３）の前記通信エリア内に存在し、前記第２のモバイル・デバイス（１’）が第２のワイヤレス・ネットワーク（３’）の通信エリア内に存在し、第３のモバイル・デバイス（１”）が前記第１のワイヤレス・ネットワーク（３）及び前記第２のワイヤレス・ネットワーク（３’）の通信エリア内に存在する場合、前記第３のモバイル・デバイス（１”）は、少なくとも前記第１のワイヤレス・ネットワーク（３）及び前記第２のワイヤレス・ネットワーク（３’）の識別データと共に第３のＧＰＲＳ信号（４”）を送信することで、前記第３のモバイル・デバイス（１”）は仮想通信空間を前記サーバ（２）に確立させ、前記仮想通信空間は、前記第１のワイヤレス・ネットワーク（３）及び前記第２のワイヤレス・ネットワーク（３’）の間のブリッジとして前記第３のモバイル・デバイス（１”）を作動し、前記第１のモバイル・デバイス（１）、前記第２のモバイル・デバイス（１’）、前記第３のモバイル・デバイス（１”）の間の通信を可能とするように前記第１のワイヤレス・ネットワーク（３）及び前記第２のワイヤレス・ネットワーク（３’）をリンクする、
請求項１に記載の方法。
【請求項３】
前記第１のワイヤレス・ネットワーク（３）及び前記第２のワイヤレス・ネットワーク（３’）の固有識別コードは、前記第１のワイヤレス・ネットワーク（３）及び前記第２のワイヤレス・ネットワーク（３’）のＭＡＣである、請求項２に記載の方法。
【請求項４】
前記モバイル・デバイスによって検出される１つもしくは複数のワイヤレス・ネットワーク（３，３’）の信号の強さを分析することにより、仮想通信空間内のモバイル・デバイス間の距離を設定する、
ことをさらに含む、
請求項３に記載の方法。
【請求項５】
前記モバイル・デバイス（１，１’，１”）が単一のワイヤレス・ネットワーク（３，３’）の通信エリア内に存在する場合、前記モバイル・デバイス（１，１’，１”）に対して動きアルゴリズムが設定され、前記モバイル・デバイス（１，１’，１”）が互いに離れる動きと区別される適合する場所に向かう前記モバイル・デバイスの動きを、システムが要求する、請求項３に記載の方法。
【請求項６】
前記モバイル・デバイスがスタンバイ・モードであり、前記仮想通信空間がアクティブである場合、前記モバイル・デバイスと前記サーバとの間に非同期接続を生成し、
前記モバイル・デバイスが他のモバイル・デバイスとのやり取りを望む場合のみ、前記モバイル・デバイスと前記サーバとの間に同期通信が確立される、
請求項１〜請求項５の何れか１項に記載の方法。
【請求項７】
ユーザのモバイル・デバイス（１、１’、１”）と、
サーバ（２）と、
を備え、
前記モバイル・デバイス（１、１’、１”）は、
それにアクセスすることなく、ワイヤレス・ネットワーク（３、３’）を検出し、
前記検出を前記サーバ（２）に報知し、
前記報知は、固有識別コードによる前記ワイヤレス・ネットワーク（３、３’）の識別を含み、
前記ワイヤレス・ネットワーク（３、３’）の通信エリア内の他のモバイル・デバイス（１’、１”）から情報を受信し、
前記ワイヤレス・ネットワーク（３、３’）の通信エリア内のモバイル・デバイス（１、１’、１”）間の仮想通信エリアを確立する、
ように構成され、
請求項１〜請求項６の何れか１項に記載の方法を実行するように構成された手段を含む、
仮想空間の生成を含む通信システム。
【請求項８】
前記ワイヤレス・ネットワークの固有識別コードは、前記ワイヤレス・ネットワークのＭＡＣである、請求項７に記載のシステム。
【発明の詳細な説明】
【技術分野】
【０００１】
本開示は、通信システム及び方法に関する。
【背景技術】
【０００２】
異なる個人間の社会的関係を確立するため、もしくは改善するための異なるシステム及び方法が当該技術分野において知られている。また、複数の人々が集まる会合もしくは場のための環境において、出席者の中で関係を築く能力が重要であることも知られている。
【０００３】
ＧＰＳ(Global positioning System)のような手段を用いた特定のタイプの組み合わせを除けば、今日知られている技術は、社会的関係と、空間的及び時間的近接度との組み合わせを許容していない。そして、全てのモバイル・デバイスがＧＰＳを有しているわけではない。さらに、一般にＧＰＳは屋外のみで動作する。したがって、このタイプのシステムをユーザは多くの場合使用することができない。なぜなら、彼／彼女は、近接した場所での通信を改善することを望むときに、屋外ではない場所にいるかもしれない。いくつかの場合、ＧＰＳの位置はワイヤレス・ネットワーク・ステーションに関連する（もしくは、反対に、ワイヤレス・ネットワーク・ステーションにＧＰＳの位置を割り当てる。）。このような方法によれば、位置を推定する特定のマップにおいて、接続されている他の個人の関係をユーザは見ることができる。
【０００４】
他の位置検出システムは、三角測量を使用して、通信エリアにアクセスする、もしくは、通信エリアを提供する携帯用電話のアンテナから、概ねの位置を検出することができる。しかし、この位置検出方法の正確さは不十分である。
【０００５】
一方、ワイヤレス・デバイスは、インターネットへ実際には接続せずに、もしくは、アクセスして、当該デバイスとユーザとの間の通信を生成するウェブ・ページとして情報を提供する場合もある。例えば、このアプリケーションはホテルで一般的に使用されている。ホテルでは、ゲストは上記ワイヤレス・デバイスを介して接続することができるが、接続することができるのは、当該ホテルのウェブサイトだけである。一般には、支払い及びその他のサービスを使用することができる。
【０００６】
したがって、推測することができるように、現在知られている技術では、ネットワーク・アクセスにおいてプライバシーが保護されるように、ネットワーク・リソースへアクセスせずに、もしくは、ネットワーク・リソースを消費せずに、特定のエリアもしくは屋外でないエリアの複数のユーザの位置を検出することはできない。
【０００７】
例えば、特許文献１は、サーバによって提供されるサービスにアクセスするために検出されるＷｉＦｉネットワークに入ることが必須であるため、プライバシーの問題を解決することができない位置ベースのソーシャル・ネットワーキング・システムについて記載している。
【０００８】
特許文献２は、ネットワークがモバイル・デバイスを検出し、その反対はないとする仮定から始める。したがって、ネットワークは当該ネットワークに入るようにモバイル・デバイスを招待し、その後、それはサーバにおいて認証される。このシステムは、モバイル・デバイスの存在を検出するためにセンサを実装する必要があり、明らかに不利である。いずれの場合であっても、モバイル・デバイスは、ソーシャル・ネットワークにおいて確立されるサービスにアクセスするためにＷｉＦｉネットワークにアクセスする。
【０００９】
特許文献３は、サーバの介入なしに、２つのモバイル・デバイスの間で定義される親和性基準によって、当該２つの携帯用デバイスの間でピア・ツー・ピア通信を確立する。通信エリアもしくは通信領域は確立しないが、通信は当該２つのモバイル・デバイスの間で確立されたチャネル専用である。
【００１０】
特許文献４において、モバイル・デバイスから連絡先までの距離が計算される。即ち、我々のアドレス・ブックがワイヤレス・リンクを介してサーバに送信され、サーバに登録されている他のモバイル・デバイスの位置との対応が設定され、続いて、いずれかの連絡先の近くにいる人を報知する。
【００１１】
最後に、特許文献５は、ワイヤレス・ネットワークを介して、サーバと関連する人々のグループと全ての種類の通信を確立することができるシステムについて記載している。（上記したように、ワイヤレス・ネットワークへのアクセスは、そのような行為に固有のプライバシー・リスクを有する。）
【００１２】
ＧＰＳ及びＷＬＡＮの組み合わせを用いた人々を検出するシステムはその他にも知られている（例えば、特許文献６〜２７）。
【先行技術文献】
【特許文献】
【００１３】
【特許文献１】米国特許出願公開第２０１０／０３１３１４２号明細書
【特許文献２】米国特許出願公開第２００９／０２１５４６９号明細書
【特許文献３】米国特許出願公開第２０１０／００６９０５８号明細書
【特許文献４】米国特許第７６２０４０４号明細書
【特許文献５】国際公開第０３／００１８２５号
【特許文献６】米国特許第７３０５２４５号明細書
【特許文献７】米国特許第７４０３７６２号明細書
【特許文献８】米国特許第７４１４９８８号明細書
【特許文献９】米国特許第７４３３６９４号明細書
【特許文献１０】米国特許第７４７１９５４号明細書
【特許文献１１】米国特許第７４７４８９７号明細書
【特許文献１２】米国特許第７４９３１２７号明細書
【特許文献１３】米国特許第７５０２６２０号明細書
【特許文献１４】米国特許第７５１５５７８号明細書
【特許文献１５】米国特許第７５５１５７９号明細書
【特許文献１６】米国特許第７５５１９２９号明細書
【特許文献１７】米国特許第７７６８９６３号明細書
【特許文献１８】米国特許第７７６９３９６号明細書
【特許文献１９】米国特許第７８１８０１７号明細書
【特許文献２０】米国特許第７８３５７５４号明細書
【特許文献２１】米国特許第７８５６２３４号明細書
【特許文献２２】米国特許第７９１６６６１号明細書
【特許文献２３】米国特許第７９９９７４２号明細書
【特許文献２４】米国特許第８０１４７８８号明細書
【特許文献２５】米国特許第８０１９３５７号明細書
【特許文献２６】米国特許第８０２２８７７号明細書
【特許文献２７】米国特許第８０３１６５７号明細書
【発明の概要】
【発明が解決しようとする課題】
【００１４】
本発明の課題は、電話、スマートフォン及びワイヤレス・ネットワーク・アクセスが可能なポータブル・コンピュータなどのモバイル・デバイス間の通信を行うシステム及び方法である。当該システム及び方法では、通信エリア(coverage)においてワイヤレス・ネットワークのリソースを使用もしくは消費することなく、及び、そのリソースにアクセスすることさえなく、通信を確立することができるルーム(room)あるいは仮想空間を生成する。
【課題を解決するための手段】
【００１５】
当業者である出願人は、本願に記載されている技術的特徴を反映する他のドキュメントの存在を知らない。
【００１６】
本発明の目的は、所定のワイヤレス・ネットワークについて、モバイル・デバイスの通信エリアに基づく特定の空間に物理的に配置される環境もしくは仮想ルームを生成するためのシステム及び方法を改良することである。
【００１７】
無線通信ネットワークを用いて通信を実行しようとするものは、常に、上記ネットワークを介して通信を確立する観点から、すなわち、ワイヤレス・ネットワークのルータの観点から、ワイヤレス・ネットワークへの主なアクセス・チャネルを生成する。この解決策は、ユーザを、一般的に、未知のネットワークに接続させ、ネットワークのオーナーに上記ネットワークを、一般的に、未知のユーザへ開放させる。これにより、アクセス・タイプについての制御を失い、上記ネットワークの使用は、明らかに、セキュリティの問題を生じる。
【００１８】
本発明において、モバイル・デバイスはワイヤレス・ネットワークにアクセスしない。それは単にそれを検出し、上記ネットワークの可能な通信エリアにおけるその存在をサーバに報知する。（上記ネットワークの固有の識別コードを用いて、）それを識別し、上記ネットワークに存在する他のモバイル・デバイスから情報を受信する。及び／もしくは、それは、上記サーバのデフォルトのユーザ・プロファイルに関心を有するかもしれない。このサーバ−モバイル・デバイス通信はＧＰＲＳメッセージに基づいている。これにより、上記ネットワークのプライバシーは侵害されないし、モバイル・デバイスはそれにアクセスを有さない。したがって、セキュリティ及び秘密性が保証される。
【００１９】
ＧＰＲＳに対するオプションとして、同様の他のタイプの通信へのアクセスをモバイル・デバイスが有するならば（実際、モバイル・デバイスは、インターネットへケーブルを介して接続されたコンピュータと、他のネットワークを介して、例えば、ブルートゥースを介して、通信する権利を有する）、通信は同様の手段を介して確立されてもよい。しかし、仮想ルームを定義するワイヤレス・ネットワークのプライバシーを決して侵害してはならない。
【００２０】
それの存在を検出することによって、その全体においてそれにアクセスすることなく、モバイル・デバイスの位置についての参照として、特定のワイヤレス・ネットワークの通信エリアのユーザのセットが、上記ネットワークを使用するだけであることを定義することは重要である。
【００２１】
特定のワイヤレス・ネットワークの通信エリア内のユーザのセットが定義されると、サーバによらずに、サーバにおいて仮想通信空間を生成するユーザによって、状態が設定されるので、ユーザは、上記ワイヤレス・ネットワークの通信エリアにいるユーザにだけアクセス可能なそれらの間の仮想通信エリアを確立する。サーバに対して、ユーザは、ＧＰＲＳ、ＵＭＴＳもしくはその目的のために開放されているワイヤレス・ポートを介したアクセスを有する。
【００２２】
記述する発明は、安全でないワイヤレス・ネットワークに関するセキュリティの問題を解決する。さらに、ワイヤレス・ネットワークがＧＰＳに関係するシステムとの主な差異は、当該システムが常にユーザの位置を検出しようとすることである。一方、本発明では、主要なことは物理的な位置ではなく、一人もしくは複数のユーザが物理的にいる限り、少なくとも１つのワイヤレス・ネットワークについて彼らを認知可能であることである。これにより、ユーザ間において、ワイヤレス・ネットワークのリソースにアクセスすることなく通信を確立することができる。一実施形態において、上記ワイヤレス・ネットワークのフリー・ポートが使用されるのであれば、上記ネットワークのリソースの消費は最小となる。
【００２３】
すなわち、本発明の課題は、少なくとも１つのワイヤレス・ネットワークの通信エリア内の複数のユーザの位置に基づいて、外部サーバを介して、仮想通信空間を設定し、ユーザがサーバによって識別され、ユーザとサーバとが通信できる仮想空間を生成し、ネットワークのリソースの消費を抑制し、場合によっては、ネットワークのリソースをまったく消費しないようにすることである。
【００２４】
ユーザが入ることができる安全な環境を提供し、場で通信することができるように、ネットワークに全てのユーザがアクセスできる（当該場が何であるか知る必要がないため、当該場が何であるか知ることなく、ネットワークの認知可能化だけが重要である）環境に配置されている空間もしくは仮想空間を生成することが本発明の課題である。よく知らないことが、パブリック・アクセス情報として該サーバにおいて定義される、他のユーザについての情報がサーバによって様々なユーザに提供される情報によって、軽減されるので、双方のユーザの間でのよく知らないことの総計によるよりも、よりシンプルで、より便利な手法で個人間の接続が設定される。
【００２５】
すなわち、本発明の課題は、少なくとも１つのワイヤレス・ネットワークの特定の通信エリアにおいて複数のユーザの間での直接通信を、外部サーバにシミュレートさせることである。これにより、当該環境において、（同一のワイヤレス通信エリア上の）付近のユーザのグループに、当該ユーザもしくは当該ユーザのアクティビティに関連する情報、もしくは、その他の関連情報を通信することがたいへんシンプルで容易になる。
【００２６】
特定の実施例において、本発明のシステム及び方法は、モバイル・デバイスによって検出される１つもしくは複数のＷｉＦｉ信号の強さを分析することによって、所定のルーム内のユーザの間の距離を、設定もしくは取得することができる。すなわち、トランスミッタからの信号の強さと計器との間の対応を設定した、２つのモバイル・デバイスの強さが一致する場合、通信の他のモバイル・デバイスまでのモバイル・デバイスの半径距離もしくは概ねの距離を示すことが可能である。いくつかのＷｉＦｉ信号の存在において、それは、モバイル・デバイスの位置の三角測量を設定することができる。これによれば、通信エリア内のデバイス間の正確な距離を調整することができ、したがって、従来技術と比較して重要な有利さを推測することができる。ＷｉＦｉネットワークが単一である場合、さらなる有利さとして、システムは２つのモバイル・デバイスに関して動きアルゴリズムを設定することができる。これにより、それは、適合する場所に向かう双方の動きを要求することができ、双方の装置が離れる動きと区別することができる。
【００２７】
本発明の課題を解決するものと補完的な技術的な問題は、ネットワークにおいて、自動的に、もしくは、介在なしに、ユーザがアクティベートされていることが必要とされることである。まず、ユーザはデバイスの一連のＷｉＦｉ  ＭＡＣを有するか、もしくは、サーバを介してアクセス可能であり、ＭＡＣがサーバの仮想ルームに関連するならば、そのエリア内において、ユーザは、物理的な介在なしに、自動的に入ることができる。これにより、他との通信を自動的に促進することができる。
【００２８】
第三者のネットワークへのアクセスから生じるセキュリティの問題及び秘密の環境を生成し、サーバを除く任意のデバイスを直接操作することを不可能にする、サーバを介してスポンサーの介在なしに装置と直接相互通信する問題を解決するため、この解決策は、本発明の主な技術的課題の解決策と補完的である。
【００２９】
本発明が実装される場合に生ずる他の技術的な問題は、スタンバイ・モードであり、ユーザが隣接する仮想ルームまで歩き、介在なしに、当該仮想ルームに入ることができるように、アプリケーションがアクティブである場合に、装置と完全な接続を保持するための、バッテリの最適化及びデバイスとの通信の最適化である。
【００３０】
この問題を解決するために、それを制御するデバイスとの非同期通信が生成され、ユーザによる一時的なプログラマブルな処理が生成される。それはユーザの使用もしくは習慣を学習する能力を有し、サーバと絶縁されている場合にのみ接続することができる。非同期接続によってユーザからメッセージを受信する可能性を向上し、ユーザが他のユーザとのやり取りを望む場合のみ、もしくは、彼／彼女がアクティブであるルームについて詳細を知ることを望む場合のみ、デバイスとサーバとの間の同期接続が確立される。
【００３１】
本発明の有利さは、特定の仮想通信ルームにサブルームを生成することができることである。これは、未知のユーザとのソーシャル・ネットワーキングのための、あるいは、未知のユーザがいる場所に関連する、安全なプロファイルの生成に関連する。
【００３２】
プロファイルと所定のルームもしくは位置との間の関係が、ユーザに信頼可能となるように、開放された秘密プロファイル及びより制限されたプロファイル（彼／彼女を個人的に識別するための多くのデータを有さない）を有してもよい。
【００３３】
本発明の効果は、共同責任システムを確立することができることである。あるユーザがルームに多くのプライバシーを含むプロファイルを有している場合、当該ルームの他のユーザは当該ユーザと同様のプロファイルを有することができる。これにより、より完全なプロファイルを提供するためのより多くの情報が提供される。この情報を部分的に通信によって提供することができる。これにより、ユーザは、彼／彼女の仕事に関する特定の事実を提供することができ、他のユーザの情報を見ることができる。
【００３４】
当該発明において、パブリック及びプライベートのルームを確立することができる。当該ルームにおいて、ビジターは、一般のユーザもしくは特定の限定されたグループに属するユーザ（例えば、同一の会社のメンバ）とは異なる情報を取得することができる。
【００３５】
本発明の有利さとして、ルームに基づいてプロファイルを自動的に生成することができる。したがって、私がいる場所もしくは私に可能なイベントに基づく、プライバシー・プロファイルもしくは異なるデータを含むプロファイルの自動生成によれば、ユーザは、例えば、彼／彼女が働いている場所のプロフェッショナルとしてのプライバシー・プロファイル及びユーザが働いていないときもしくは場所における１つもしくは複数の余暇のプロファイルを維持することができる。さらに、これらのユーザの各々は、シチュエーションに依存する複数の正確なレベルを有することができる。例えば、ユーザがいつもいる国にいるならば、当該ユーザのプロファイルは他の異なる国にいる場合に使用することができるものと（例えば、言語について、）大きく異なっていてもよい。これによれば、ユーザは、当該ユーザのプロファイルに関する言語の情報の提示を変更するために、デバイスとやり取りする必要がない。当該言語は、その場所でよく使用されている言語であってもよいし、プロファイルの受信者の使用する言語であってもよい。
【００３６】
プロファイルを一時的に（たとえば、決められている余暇の時間数）変更することができる。例えば、夜、ジムに行く、というアクションに適合する場所もしくは仮想ルームは余暇のプライバシー・プロファイルを有する。これは、例えば、ウィーク・デーに使用される。プロファイルは、ユーザが当該サイトにいる場合、特定の仮想サイトもしくはルームにおいて、アクションに依存することができる。プロファイルは、ユーザが固定客であるか、もしくは、ときどき当該サイトに行く誰かであるか、を第三者に知らせてもよい。これによれば、彼／彼女のプライバシーを傷つけるかもしれない多くの情報を当該ユーザが与えることなく、当該ユーザは、不確かなレベルを低減することができる。これらのプロファイルは、プロファイルの所有者である個人のタイプを識別するワードに関連してもよい（例えば、外交的なプロファイル、もしくは、慎重なプロファイル）。誰がその特定の個人であるか言及することを必要とせず、個人及び第三者の当該所有者への評価を識別することが可能となる。
【００３７】
本発明は、ユーザに、次に行く場所の種類、私が将来会う人々の種類、現時点でそこにいる人々の種類などに関する情報を提供するために、ルームとユーザとの間で一時的な関係を有する必要がある。
【００３８】
本発明の他の有利さは、ユーザ及びウェブ・サイトによって行わなければならないＷｉＦｉ空間のサーチ・エンジン・ウェブからの結果への割り当てである。
【００３９】
プライバシー管理はたいへん重要である。彼／彼女は異なる理念に基づいて、プライバシーを管理することを望む。プライバシーは、働いている環境ではない環境において、より厳格である。そのような環境では、個人の関心について、害のある関係を確立する不確かな存在に対して、プライバシーがより多く公開されるからである。
【００４０】
この問題を解決するために、本発明は、個人が位置する場所に関連するかもしれないプライバシーの異なるレベルを有する通信システムを改良する。犯罪が多発するリスクがある近隣環境と、プライバシーがそのような環境ほど必要でないビジネス・ミーティングと、では状況が異なる。このプライバシーは、プロファイルの類型にリンクする特定の場所に到着すると、自動的に、あるいは、手動で、アクティベートすることができる一連のプロファイルによって定義される。これらは、情報の受信者に関連してもよい。すなわち、受信者が既知の環境に属するならば、システムがユーザに提供するプロファイルは、それ以外の場合より広範囲であるかもしれない。ある場所で何人かの人々は、システム・ユーザの異なるプロファイルを有するかもしれない。これにより、近隣の環境に属する個人Ａは、近くにいるか否か不明である個人Ｂよりも、より個人的なプロファイルにアクセスすることができる。
【００４１】
このプロファイルはプロファイルのやり取りに基づいていてもよい。すなわち、ユーザがたいへん少量の情報を含むプロファイルをその場で提供する場合、他のユーザは、同様に、少量の情報を含むプロファイルを提供することができる。ユーザが当該ユーザの写真及び居住している場所だけを共有することを希望する場合、他のユーザは同様の種類の情報を提供することができる。このユーザが当該ユーザのプロファイルをよりパブリックなものにするならば、例えば、氏名、居住する場所、配偶者の有無、職業などの情報を提供するならば、他のユーザも同様の情報を提供することができる。
【００４２】
第三者の保証を介する秘密の環境を生成することの可能性は興味深い。第三者は、個人が信頼可能であることを保証し、保証した第三者は保証した個人についての信頼可能な情報を提供する。
【００４３】
当該システムは、高度でない秘密性のプロファイル・ステータスから高度な秘密性のプロファイル・ステータスまで、自動的な、あるいは手動による、改良を許容する。
【００４４】
現在のシステムが面している主な技術的問題は、ＷｉＦｉネットワークだけでなく、上記したように、Ｂｌｕｅｔｏｏｔｈ標準などにおいて確立されるようなピア・ツー・ピアのワイヤレス・ネットワークにおける、セキュリティ及びプライバシーである。したがって、モバイル・デバイスの間のメッセージ交換のためには、モバイル・デバイスの間で確立されるか、（リスクを含む）通信が開放されるか、さもなければ、相互に未知のデバイス間の通信は確立されないか、である。
【００４５】
本明細書に挙げられている特徴を含むドキュメントもしくは公報は、当業者である出願人によって知られていない。本発明の特徴は、基本的に、仮想空間内において、ＷｉＦｉネットワークに基づいてユーザの位置を区別することであり、仮想空間内において彼／彼女の氏名（ニックネーム）を交換することによって、ユーザによってメッセージを送信する。
【００４６】
本発明の新規な態様は、位置に依存してネットワークを区別させ、可能な限り、決定されるような帯域を探すことである。したがって、２つの特定のモバイル・フォンについて、生成された仮想ルームが相互に等しい２つのネットワークと１つの異なるネットワークを検出したならば、第３のルームを検出する必要はないかもしれない。なぜならば、第３のルームは識別可能ではない、すなわち、リンク履歴に依存するたいへん特殊な帯域が必要とされるからである。
【００４７】
本発明の技術的問題は、自動的に、すなわち、彼／彼女の介在なしに、ネットワークにおいてユーザのためにアクティベートする必要があることである。まず、ユーザが、デバイスにおける一連のＷｉＦｉ  ＭＡＣを有するか、もしくは、サーバを介してアクセス可能であり、そのエリア内において、このＭＡＣがサーバの仮想ルームと関連付けられるならば、ユーザは、自動的に、物理的な介在なしに、入ることができ、他のユーザとの通信は自動的に促進される。
【００４８】
この解決策は、本発明の主な技術的問題の解決策を補足し、第三者のネットワークにアクセスすることによって生じるセキュリティの問題、及び、秘密の環境を生成し、サーバを除く任意のデバイスを直接操作することを可能にするサーバを介して、スポンサーの介在なしに、デバイスと直接相互通信する問題も解決する。
【００４９】
主な技術的課題に関連する本発明の目的は、システム内の少なくとも２つのモバイル・デバイスの間のＢｌｕｅｔｏｏｔｈネットワークをどのように確立することができるか、である。ユーザは、デバイス間で確立されたピア・ツー・ピアＢｌｕｅｔｏｏｔｈネットワーク内でデバイスの識別名を変更することによって、相互にいくつかのメッセージを送信することができる。
【００５０】
したがって、メッセージはデバイスの新しい名称であり、当該メッセージは他のデバイスによって認識可能であるため、直接接続なしに通信が確立され、したがって、完全に安全である。モバイル・デバイス間にリンクはなく、認証されないアクセスは、仮想的に不可能となる。
【００５１】
最後に、本発明の実施例において、モバイル・デバイスの各々において、メッセージを解釈するアプリケーションがあり、範囲内において他のデバイスによって複製品を許容する履歴を生成する。すなわち、例えば、メッセージ「ルーム１と接続」を名称において示すデバイスを有するならば、システムのサーバは当該空間への接続を制御し、当該空間へ接続されるモバイル・デバイスは範囲内での複製のために名称を変更することが可能である。したがって、ウィルス・タイプを報知するメッセージを設定することができる。しかし、サーバへのアクセスは任意であり、ウィルスの複製は、単に、メッセージの受信において設定され（すなわち、デバイスの名称を認識し）、デバイスの名称として複製される。
【００５２】
以下及び請求項の記載において、用語「含む」及びそのバリエーションは、その他の技術的特徴、付加的なもの、コンポーネントもしくはステップを除外することを意図していない。当業者には、本発明の他の課題、効果及び特徴は、一部は記述から、一部は発明の実施から明らかになる。以下の例及び図面は、例示のために提供され、本発明を限定することを意図しない。本発明は特定の実施例、及び、ここで示される好ましい実施例の可能なコンビネーションの全てを包含する。
【００５３】
以下に、本発明のよりよい理解のために提供される一連の図面の簡単な説明を示す。これらの図面は本発明の実施例と明示的に関連付けられている。本発明の実施例は、本発明を限定しない例として提示されている。
【発明の効果】
【００５４】
仮想ルームを生成する通信システム及び方法を提供する。
【図面の簡単な説明】
【００５５】
【図１】本発明の、仮想空間の生成を含む通信方法の第１の適用を示す。
【図２】本発明の、仮想空間の生成を含む通信方法の第２の適用を示す。
【図３】本発明の特定の実施例における仮想空間のある通信エリアもしくはビジョン内のモバイル・フォンの間のメッセージ送信を示す。
【図４】本発明の特定の実施例における仮想空間内で接続されているモバイル・フォンの間のメッセージ送信を示す。
【発明を実施するための形態】
【００５６】
添付の図面に示されているように、本発明の仮想空間の生成を含む通信システムは、以下のものを含むことを特徴とする。（ａ）複数のモバイル・デバイス（１、１’）。複数のモバイル・デバイス（１、１’）は少なくとも１人のユーザに関連付けられている。複数のモバイル・デバイス（１、１’）は、ＧＰＲＳなどのタイプのデータ送信手段、ＷｉＦｉなどのワイヤレス・ネットワークにアクセスするための手段を少なくとも含む。（ｂ）サーバ２。サーバ２は、インターネットとアクセスするための手段を備え、複数のユーザのユーザ・データを記憶する手段、データベースにおいてユーザを識別する手段を少なくとも含む。サーバ２は、少なくとも１つの所定のワイヤレス・ネットワーク（３、３’）の通信エリア内でユーザと関連付けられており、モバイル・デバイスの通信エリア半径内のワイヤレス・ネットワーク（３、３’）に関する情報をモバイル・デバイス（１、１’）から受信し、固有の識別コードによってモバイル・デバイスが識別したワイヤレス・ネットワーク（３、３’）の通信エリア半径内の他のモバイル・デバイスにモバイル・デバイス（１、１’）の各々からの情報を送信する。
【００５７】
図１に示す応用例は、２つのモバイル・デバイス（１、１’）がどのように所定のワイヤレス・ネットワーク３の通信半径内にいるか、を示す。第１のデバイス１がネットワーク３の通信エリアに入ると、サーバ２にＧＰＲＳ信号４が送信される。当該信号は、ワイヤレス・ネットワーク３の固有の識別数値及びユーザの識別コードを少なくとも有する。
【００５８】
ＧＰＲＳ信号４を受信すると、サーバ２は他のモバイル・デバイス１’の存在を確認し、サーバ２にある第１のモバイル・デバイス１と関連付けられているユーザのパブリック情報をモバイル・デバイス１’と共有する第１のモバイル・デバイス１の存在をモバイル・デバイス１’に示す。
【００５９】
第２のモバイル・デバイス１’によって第１のモバイル・デバイス１の存在が判断されると、第２のモバイル・デバイス１’は第２のＧＰＲＳ信号４’を、少なくとも第１のモバイル・デバイス１との通信を許容して、サーバ２に送信する。これにより、ワイヤレス・ネットワーク３と関連付けられているサーバ２に仮想空間が設定され、第１のデバイス１と第２のデバイス１’との間の通信を当該空間が許容する。
【００６０】
図２に示す例において、第１のモバイル・デバイス１は第１のワイヤレス・ネットワーク３へのアクセスを有し、第２のモバイル・デバイス１’は第２のワイヤレス・ネットワーク３’へのアクセスを有する。デバイス（１、１’）は同一のネットワークにはいないが、サーバ２は、第３のデバイス１”が双方のワイヤレス・ネットワーク（３、３’）にアクセスを有することを知っている。
【００６１】
しかしながら、第３のデバイス１”は双方のネットワーク（３、３’）の識別情報及びユーザ識別コードを少なくとも有するＧＰＲＳメッセージ４”を送信する。受信後、サーバ２は、この情報をユーザと関連付け、第１及び第２のデバイス（１、１’）の双方のネットワーク（３、３’）における存在を送信する。これにより、第３のデバイス１”は、サーバ２に仮想空間を設定させることができる。当該仮想空間は双方のネットワーク（３、３’）をリンクする。第３のデバイス１”は第１のデバイス及び第２のデバイスの間のブリッジとして機能し、第１及び第２のデバイス（１、１’）へのアクセスを可能とし、３つのデバイス（１、１’、１”）の間の通信を可能とする。
【００６２】
本発明のシステム及び方法は、情報を報知するために送信する手段としても使用することができる。この場合、モバイル・デバイス１は、ワイヤレス・ネットワーク３に入り、ＧＰＲＳ信号４をサーバ２に送信すると、サーバ２は、例えば、レストランのメニュー、その日に提供される広告などのネットワークに関連する情報を戻す。
【００６３】
図３は、モバイル・デバイス（１、１’）間の直接通信をどのように設定することができるか、を示す。
【００６４】
まず、第１のデバイス１もしくはメッセージのソース・デバイスは第１のデバイス１にあるファイルから、もしくは、適切なアプリケーションにおいてユーザによって書き込まれたメッセージによって新しい名称を選択する。その後、生成されたファイルのテキストが取り出され、Ｂｌｕｅｔｏｏｔｈ標準において１０〜１５ｍである第１のデバイス１の範囲内で、デバイス１’によって認識される名称の変更が設定される。名称の変更は以下のコマンドによって設定される。
【００６５】
Bluetooth.LocalDevice.setName (newName)
【００６６】
次に、第１のデバイス１のＢｌｕｅｔｏｏｔｈの状態が更新される。これにより、範囲内の全てのデバイス（第２のデバイス１’）は、名称の変更を介して、第１のデバイスが送出することを望むメッセージ（例えば、「ルームＡに接続」）を観察する。これにより、他のデバイスは決定されたルームの生成及びアクセスについて知ることができる。
【００６７】
生成されたルームにおいて、図４に示されるように、示されるものと同様の通信を設定することができる。ルームを生成するための最初のステップとして、この目的のために稼働するデバイス１において名称が設定される。短いメッセージ及び第１のデバイス１のＢｌｕｅｔｏｏｔｈ名称として設定され、新しい名称及び状態が、空間に接続されている全てのデバイス１’に送信される。サーバ２（実際のルーム管理装置である）から、第１のデバイス１の名称の変更についての変更通知が送信される。
【００６８】
記述されたシステム及び方法は、位置検出がＧＰＳのエネルギー消費にコミットするため（より正確な位置検出は、エネルギーをより多く消費する。）、ユーザが特定の場所を検出するＧＰＳを介した識別が不可能であるという他の技術的な問題を解決する。屋外でなければ、デバイス（１、１’、１”）を検出するためにＧＰＳの能力が欠如する問題も解決する。
【００６９】
当該技術の現状のいくつかのシステムは、ＧＰＳによる位置検出と、ＷｉＦｉネットワークのデータとをリンクする。ＷｉＦｉネットワークをいくつかのＧＰＳ座標内に置くと、システムは、当該座標にいるように、デバイス（１、１’１”）をシミュレートする。シンプルなシミュレーションであるため、以前に受信した座標データの部分は不正確であるかもしれない。ソースが定義上及び信号品質の双方によって歪曲するかもしれないので、屋根つきのショッピング・モールの高さ及びその中の双方でアクセスを有さない場所においては、動作しない。しかしながら、当該分野の現状のいずれのドキュメントも、本発明において説明されるように、サーバ２に配置されるデータベースの位置と関連付けられている位置への自動的なエントリーをどのように促進するかについては示していない。
【００７０】
実用的な実施例において、本発明は、ＷｉＦｉネットワーク３をチェックし、特定の仮想空間にＷｉＦｉネットワーク３が関連付けられている。これにより、システムが、ある期間、空間の内部にあることを検出すると、特定の位置にあるとみなされる。サーバ２において、シンプルな検出及び識別によって、ＷｉＦｉ環境にルームが生成され、特定のアドレスによってこれら全てのデータのリンクが改善される。
【００７１】
例えば、場所Ｘが特定のＷｉＦｉのデータにリンクされているならば、場所Ｘのネットワークのデバイス（１、１’、１”）の検出は、それがその場所にあり、他の場所にはないことを意味する。
【００７２】
特定のＷｉＦｉ  ＭＡＣに関連するので、サーバ２のマップのデータベースの特定の位置への自動的なチェックインが促進される。結果として、特定の空間のユーザに位置付けることが可能となるが、特定の位置（座標）ではなく、ネットワーク３の通信エリアに当該位置があることが常に考慮される。すなわち、特定の限定された空間内のデバイス（１、１’、１”）の高さを区別することはできない。
【００７３】
考慮すべき問題は、マップにおいて関心のある特定のポイントによるＷｉＦｉ  ＭＡＣの割り当てプロセスである。ユーザには複数の位置が提供され、当該複数の位置のユーザは、特定のＧＰＳ位置フィルタによって選択され、ユーザがどこにいるかを尋ねる。ユーザがこれらの位置の１つにいることを認めると、マップ・データベースの位置を識別するためにより適切なＭＡＣをシステムは検出することができる。
【００７４】
この実施例を通して、事前に知ることなく、静止ＭＡＣとモバイルＭＡＣとを区別する問題がある。可能な限り安全であるような空間を提供するために、より安定したＭＡＣを選択する。現在、ＷｉＦｉデバイスであるデバイス（１、１’、１”）がある。これらのデバイスは、仮想ルームが生成された場所にはない。したがって、ルームは、モバイルＭＡＣに基づいて生成されるか、マップの特定のアドレスをそれに与える。いずれの場合であっても、第２のユーザが当該場所に行くと、ルームは表示されない。したがって、この実施例における空間は固有のＭＡＣによっては生成されない。したがって、全てがモバイルである可能性は低い。異なるユーザによる異なる時間におけるいくつかの訪問は場所における最も信頼できるＭＡＣであることを分析する。モバイル・ユーザが常にＷｉＦｉネットワークの信号を送信する場所にいることは困難であるため、ある時間に静的なＭＡＣユーザによってオフされる。
【００７５】
同様に、選択されたＭＡＣがある場所において静止していることを確認するために、もしくは、上記されたように、いずれかを廃棄するように、ＷｉＦｉの強さを分析するために、ユーザ・アクション・プロトコルを生成することも可能である。
【００７６】
ＷｉＦｉを経由して、モバイル・デバイス（１、１’、１”）によって、仮想空間を生成することができる。これにより、これらの空間は、ユーザの動きに追従する。識別については、異なる場所においてＷｉＦｉのいくつかのチェックを実行し、モバイルＭＡＣを選択することができる。このような方法を、モバイルＭＡＣを廃棄するため、もしくは、モバイルＭＡＣを特定のユーザにリンクするために、使用することができる。このような方法において、より信頼ができるサーバにおいて、もしくは、ユーザにおいて、静的空間を生成する場合においてモバイルＭＡＣを廃棄し、モバイル空間を生成する場合にモバイルＭＡＣを使用する。
【００７７】
データベースのアドレスによってＭＡＣの信頼できる識別の問題を解決するために、システムはＭＡＣの異なる強さを分析し、ＭＡＣの範囲およびＭＡＣの強さの関係を特定のアドレスに割り当てる。場所によって異なるＭＡＣ信号の過多があるためである。さらに、いくつかは物理的に他に入る。それゆえ、検出できるＭＡＣの強さをより正確に知ることができる。
【００７８】
ＧＰＳ信号を使用する、もしくは、ＧＰＳ検出位置にリンクされたＭＡＣを与える堅牢な会社の場合、ＭＡＣの場所は、１つもしくは複数のユーザが手動でその場所にチェックインした場合に、識別される。すなわち、この種類の適用のシステムは、ＧＰＳ位置検出に場所のリストを提供する。信号の識別によって、位置の不確かさがあるためである。乏しい、もしくは、存在しない品質（例えば、屋内）の多くの場合、ユーザは現在いるサイトの近くのリストから選択し、システムはユーザに当該位置の情報を入力させる。その時点で、ＭＡＣのチェックが実行されると、サーバ２は、マップ上のその場所と検出されたＷｉＦｉ  ＭＡＣとの間に、リンクを生成する。このような方法において、第２のユーザ、もしくは、ユーザは、バックグランドでのＭＡＣの定期的なチェック及び、サーバ２のデータベースの対応するチェックにより、システムにその場の自動検出を戻す。これにより、システムは、ユーザが本当にその場にいることを知ることができる。
【００７９】
このプロセスの全ては多くの方法で実行することができる。１つもしくは複数のＭＡＣをアドレスに割り当てることは必須である。これにより、同時に、もしくは、特別に、このＭＡＣ割り当てシステムはある場所に使用される。ＷｉＦｉ  ＭＡＣへＧＰＳ位置検出を割り当てる既知のシステムは、ビジター及びシステムの双方のためにＧＰＳデータのソースが不確かであるため、特定の位置の検出位置を知るためには不十分である。
【００８０】
すなわち、ＧＰＳ検出位置を有するこのＭＡＣにマークを付すユーザがＭＡＣへの異なる位置を有する場合、ＭＡＣは常に屋内において検出されるので、ＭＡＣは間違った場所に位置付けられている。したがって、ＷｉＦｉは実際にあるのとは異なる場所に位置づけられる。しかし、システムは、その検出位置を、その場所を介して、信号の強さのコンビネーション及び位置の定義を渡すユーザを通じて改善する。
【００８１】
しかし、本発明によれば、これは機能しない。なぜならば、ＧＰＳ位置検出との関係は必要ないからである。ＭＡＣの周囲の特定の半径の仮想空間をある領域に関連付ける。位置検出についての不確かな範囲は重要ではなく、存在しない。ユーザはその場に特定のＭＡＣのために受信された情報によって生成された空間にいるからである。これにより、関係位置付けシステムが周囲に構築される。何人かの人々が相互に近接して存在することを知っており、特定の位置についての情報を当該人々に提供することができるからである。
【００８２】
この技術のアプリケーションは、彼／彼女の直接介入なしに、広告の報知もしくは情報をユーザに自動的に受信させる。サイトは、その場にいるユーザがどのユーザか知り、かつ、彼／彼女の直接介入なしに当該システムをどれが有するかを知っている。
【００８３】
ＧＰＳ接続は、費用をたいへん多く要するという大きな問題を有する。本発明のシステムは、ユーザに情報を提供するためにオンライン接続を要求するので、その使用はこれらのユーザにとって劣る。本発明は２つのタイプの情報を提供し、一つは仮想ルームに何が生じたかについてであり、一つは、仮想ルーム・データ及び履歴について、大きな有効性を有することについてである。
【００８４】
この問題を部分的に解決するために、本発明の特定の実施例は、ルーム特徴のタイプ及びユーザによって事前にダウンロードされるべきコメントに関する情報を提供する。したがって、誰かがルームについての情報を有し、ユーザがオンラインである場合と同一の方法でアクティベートされる。しかし、サーバ２に接続されている必要はない。オンライン接続を維持する必要なくユーザが行くその場所についての情報を取得することができる。
【００８５】
静的な空間のルームが選択され、ＧＰＳ検出位置と関連付けられる。これにより、ユーザが、我々がこのルームのために特別に定義した情報が提示されているエリアに入ると、ルームの基本的な使用が許容される。オフィスの部屋にいるユーザ間の通信を確立するために、システムはＢｌｕｅｔｏｏｔｈ接続を使用することができる。これにより、それは、適切なときはいつでも、第三者の介入なしに、オフラインで稼働するＷｉＦｉ  ＭＡＣに関連付けられているネットワークを取得することができる。
【００８６】
したがって、２つの技術を結合することによって、それはルームを生成することができる。一方の技術は、ＷｉＦｉ  ＭＡＣからの情報の定義であり、他方の技術は、ユーザとＢｌｕｅｔｏｏｔｈとの間の通信である。一方は、実際に接続し、他方はメッセージを含む招待によって接続する。それはシステムに命令を与えることもできる。これにより、あるルームにおいて、Ｂｌｕｅｔｏｏｔｈは自動的にアクティベートされる。したがって、我々は、より容易にユーザの臨界数を取得することができる。
【００８７】
本発明のシステムは、仮想ルームを介して、デバイス（１、１’、１”）間でドキュメントを共有させる。ドキュメントを共有する通常の方法は、２つのデバイス間での直接接続であり、これはそれらに接続されたデバイス間を伝播するウィルスもしくは認証されていないユーザ・データを提供するかもしれないデータを共有させる。それは、現実世界でも、あなたが現金で支払う場合、インボイスの発行者が受信者のデータを知ることなく、インボイスもしくは売上票を受信する可能性は存在する。これは、パーティー間のトランザクションにおいて、プライバシーを維持し、彼らの購入において匿名を保証することを支払者に提供する。仮想空間において、この機能のための効果的なツールはない。
【００８８】
本発明は、同一の場所に２人のユーザがいることを知らせるシステムによって双方の問題を解決する。それらは、この第三者の介入によってデータを共有してもよい。もっとも効果的な対策は、仮想ルームに加入し、システムが双方のユーザが同一の場所にいることを検出したら、ドキュメントを要求するユーザが自動的にそれを受信することができることである。
【００８９】
例えば、それが発行者に近付くと、システムは信号の強さによってそれがユーザであることを検出する。もしくは、インボイスを発行するユーザが、ユーザを、ユーザの写真もしくはユーザのニックネームを尋ねることによって、認識する
【００９０】
インボイスは、単に、オペレータがその場に滞在している間、もしくは、彼／彼女がそれをダウンロードするまで、セキュリティが追加されたｈｔｔｐアドレスで使用可能である。
【００９１】
このシステムによって、プライバシーは保たれ、上記全てにおいて、それは自動であり、ユーザからのいずれかのデータを知る義務を誰も負う必要がない。特定の場所においてドキュメントにアクセスするためにシステムに加入するだけでユーザにとって十分である。この有利さにおいて、このシステムはユーザの動きの説明を保つことができる。
【００９２】
存在するその他の必要は、１つの場所の同様の複数のユーザが特定の場所にある（その場所だけにある）同様のメディア情報を聞く、もしくは、見る可能性である。ルーム・システムによれば、例えば、サウンドトラックで仮想空間を生成することは可能である。それは、同時に複数のユーザが聞くことができ、もしくは、ネットワークを介してある帯域に送信することにより同時に聞くことができ、もしくは、デバイス（１、１’、１”）に記録され、この場所で所定の時間にそれがアクティベートされる。
【００９３】
ある場所の特定の人々と名刺を共有することが、ルーム・システムによって可能である。両者がその空間にいて、そのうちの一人が彼／彼女のカードをもう一人に提供し、許容されなければならないメッセージを受け取る。これにより、システム・サーバ２は両者の名刺を共有する。
【００９４】
本発明のその他の特定の実施例において、その他の技術と仮想ルームとを結合することは可能である。したがって、セキュリティ・カメラもしくは電話の技術と結合することが可能である。なぜならば、カメラは容易にその人が誰であるか検出することができるからである。それは彼／彼女の顔を分析し、それをデータベースと比較する。  比較は、存在する人々のリストとしなければならない。これにより、特徴の偶然の一致はより困難となる。システムはセキュリティ・カメラが見た人々にラベルを貼ることもできるし、このような方法で生成された仮想ルームにいるよりも多くの、物理ルームにいる人々を識別することもできる。システムは、全てのメンバーが識別されることを求めることができ、システムに許可されたユーザのデータベースにはいない、空間内に物理的にいる誰かを検出する。
【００９５】
例えば、もし、カメラがその場所の５人の人々を識別し、システムが仮想ルームに３人いると言うかもしれない。この適用の理由は、システムが、仮想ルームが物理ルームと一致する場合に、その場所で、フェース・ツー・フェースの制御のために働くことができることである。
【００９６】
拡張現実によって、システムはルームのメンバーの中でサーチしなければならない人のプロファイルを識別することはより容易となる。
【００９７】
他の組み合わせは、各ユーザのＢｌｕｅｔｏｏｔｈ  ＭＡＣを知ることであり、それをカードに割り当てる。これにより、もしユーザが稼働中のＢｌｕｅｔｏｏｔｈを有するならば、ルームの位置と場所とを結合することが可能であり、ドライバのデータをコンスタントに放出するより小さなルームを生成することも可能である。彼自身／彼女自身が、例えば、自動車において、特定のユーザ・カードとそれらを関連付けるからである。
【００９８】
このＭＡＣがユーザによって配置されるときはいつでも、そのデータを知ることができる。すなわち、ＭＡＣが特定のユーザに割り当てられる場合、それは起こり得る。これはシステムのユーザをリフレッシュするためにサーバとの結合を有しない。しかしながら、その他のユーザは結合を有する。もし、彼／彼女がシステムのデータを、Ｂｌｕｅｔｏｏｔｈを介して、データ接続を有さないユーザと共有することを望むのであれば、例えば、３Ｇはシステムに結合されていないユーザのデータを見ることができる。彼／彼女は、データ接続を有さない彼／彼女自身とは異なる国にいる。システムにおいて彼／彼女を受け入れるために中間サーバとして３Ｇ接続を有するユーザを演ずる。
【００９９】
セキュリティの計測として、双方の適用の接続は、システム自身のそれらとは異なるデータの転送を許容しない。これにより、よくない目的のための接続を使用することを不可能とする。Ｂｌｕｅｔｏｏｔｈ及びＷｉＦｉとのルームのその他の結合は、ライブ・ルームを生成することであり、一般的なＷｉＦｉ信号よりも大きな環境を許容する。それらを結合した場合、ＷｉＦｉを経由して、ユーザを介する送信による通信エリアなしに両者のエリアに到達することができる。これにより、従来のクライアント／サーバ・システムと混合されたピア・ツー・ピア・システムを生成する。
【０１００】
例えば、我々はユーザ間にストリングを生成することができる。両者は、Ｂｌｕｅｔｏｏｔｈを経由して接続され、ＷｉＦｉ信号だけによるよりも、よりフレキシブルに、物理的にルームを拡張することができる。もし、ユーザがルームのＢｌｕｅｔｏｏｔｈ半径内の場所にいれば、彼／彼女は、本当に、ＷｉＦｉ空間を見ることができる他のユーザを介して、当該空間にいるためである。それも各デバイス（１、１’、１”）に空間を割り当てるための１つのやり方である。これにより、これは、カード自身を介して、例えば、提供されるサービス、配管工事、電気工事の宣伝をすることができる。ＷｉＦｉを介して、両者を放出することができる。ＷｉＦｉサーバ・ステータスにおいて電話を放出するＭＡＣによって、もしくは、Ｂｌｕｅｔｏｏｔｈ  ＭＡＣによって、それ自身の空間を生成することができる。
【０１０１】
システムは高密度ＷｉＦｉ環境を識別することもでき、例えば、ＷｉＦｉサーバとして稼働するとき、他の異なる周波数範囲をより自由に使用することができる。そのため、それは通信エリアを走査させ、走査される範囲の強さについて許容可能であるとして定義されるよりも大きな数値であるか否かをチェックし、使用されるより小さいものを検出する。
【０１０２】
システムはルームを生成することもでき、それらを特定の装置として識別することができる。例えば、それは、ＷｉＦｉ放射によってテレビにルームを生成することができ、それをテレビとして識別する。これにより、もし、トランスミッタがその他のタイプのルームとは異なるルームとして可能な範囲を有するならば、例えば、それがテレビもしくはモールのショップのスクリーンであることを考慮して、そのコンテンツとやり取りする。このようにして、ルームは特定の異なる方法で動作し、ソーシャルな関係（例えば、強さ）のルームが、ユーザがＴＶを見るべき位置に基づいて適応され、ルームについて情報を提供するための強さのより弱いものは廃棄される。人に情報を提供するものを見ている誰かをテレビによって知ることができる１つの方法であり、これにより操作される。
【０１０３】
それは、特定のＭＡＣ−ＷｉＦｉルームの異なるユーザを有するかもしれない関係のタイプを知ることにも関心を有する。これらのユーザにおいて、我々は２つの基本的なカテゴリを区別することができる。一つは、インターネットに出るために、ＷｉＦｉネットワーク及びＭＡＣを使用しているユーザであり、彼らはルームへのアクセス・コードを有しているので、それとのより大きな関連性を有するユーザとして知ることができる。それは、一方からインターネットへ接続するための他の手段を使用する他方へ異なる情報を提供することも可能である。すなわち、それらはビジネスの場所もしくはその所有者と直接の関係を有さない。
【０１０４】
デバイスとの関係の別のタイプは、ストリートの広告のそれであり、システムはある広告が例えば外国人のビジターに提供されることを許容してもよい。それは空港への到着に一般的であり、その国での料金がまったく不確かであるため、接続されていることに有利さがないため、データ接続が不可とされる。システムは、例えば、空港のスクリーンでの広告において、広告を介して、インターネットへのＷｉＦｉ接続をユーザに許容し、例えば、システムへの彼／彼女のアクセスのために必要なデータをユーザと共有する。これにより、その空間についてシステムが有する情報を彼／彼女に提供することができる。それは、ＢＴを介してなされてもよい。ユーザがシステムへの接続を許容するアプリケーションを有さない場合、広告は電話ブランドのＡＰＰショップへのリンクを提供し、広告もしくは関心を有することについての情報を提供するために必要なアプリケーションをダウンロードすることができる。
【０１０５】
ＢｌｕｅｔｏｏｔｈもしくはＷｉＦｉ  ＭＡＣは電話番号と関連付けられていてもよい。
【０１０６】
本発明によって解決されるその他の問題は、無線周波数に基づいて、２つの未知のマシンの間の接続を含むセキュリティの問題を解決するために、発行者のネットワークとのユーザ接続を含まず、広告環境を生成する困難さである。これについて、ＷｉＦｉ半径において彼自身／彼女自身を広告することを望むユーザはＷｉＦｉ信号トランスミッタをアクティブにし、彼／彼女の電話においてそれをＷｉＦｉサーバに変換し、ＭＡＣに特定の広告もしくは情報を割り当てる。これにより、システムは空間を、例えば、自動車もしくはそのドライバに関連するファイルもしくは情報を共有する信号の周囲に検出される人に許容する、配送バンなどのユーザのデータに割り当てる。
【０１０７】
これは、例えば、自動車もしくは人がいる場所に基づいて、提供を分割することを許容する。それは、広告の所有者の家に近いエリアであるか、遠いエリアであるかによって、異なる作業時間毎の価格を提供されてもよい。
【０１０８】
このシステムの有利さは、任意の建物の内部で、周辺の全ての人々に広告を提供することができる。広告をだす人のルームのＭＡＣサーバは電話で十分である。
【０１０９】
存在する問題の１つは、配置される特定のサイトのＷｉＦｉ  ＭＡＣを識別することを含む。方策は、ＷｉＦｉの名称を比較すること、すなわち、適合する場合、サイト・データベースによって、どのようにユーザがデバイスに電話するか、を含む。例えば、レストラン「Ａ」はＷｉＦｉＡと呼ばれるＭＡＣ１１１１１１１８８８２２を有するＷｉＦｉネットワークを有する。その部分についてシステムはデジタル・マップを介してサイトの近傍にデータベースを有する。サーチが実行され、サイトにいる人々に対するこの場所の確実さによって検出し、サイトに既存のＭＡＣ、特に、モバイルＭＡＣと区別するために、システムは、マップにおいてレストランＡとして場所を知られているＭＡＣを割り当てられているレストランＡ及びＷｉＦｉＡの名称の間の近似性を検出する。
【０１１０】
それは、これらの名称、例えば、ｈｏｔｅｌａｎａｗｉｆｉｓｗｉｍｍｉｎｇｐｏｏｌが、例えば、ホテルの特定の場所を示すことも可能である。我々はホテル、アナの内部でその通信エリアをプール・エリアとして割り当てることができる。その他の場合、フロアｈｏｔｅｌａｎａｓｉｘｔｈｆｌｏｏｒｗｉｆｉがある。システムは、文脈に依存する方法で、それがホテル  アナの６階であり、ホテル  アナの６階の部屋を３次元図で検出する。これにより、ホテルの６階のユーザに視認可能に位置付けることにより、このフロアに配置された仮想空間内で、この情報をユーザ及びデジタル位置検出マップで共有し、この空間のその他のユーザ及びホテルの他のユーザとこのシチュエーションを共有する。
【０１１１】
それは、ＷｉＦｉ  ＭＡＣを介してデータベースで定義されるサイトの信号を検出することにより、デバイスが実際に彼／彼女が支払っている場所にあることを発行者に保証するので、支払いシステムを改善する。
【０１１２】
システムが解決するその他の一連の問題は個人情報のプライバシーに関する。システムはある場所に仮想ルームを生成するので、個人情報が我々がいる場所に応じて異なるのと同様に、これらの空間は階層的もしくは特定の順序を有していてもよい。医師のオフィスにおいて、要求される個人情報とディスコ・バーにおいて必要とされる個人情報とは異なる。
【０１１３】
この問題を解決するために、本発明は一連の類型的なプロファイルを生成し、システムもしくはユーザが、それが位置するルームに応じてプロファイルを選択する。例えば、医師のオフィスにいるユーザは仮想−物理空間に割り当てられ、彼／彼女自身が医療情報プロファイルを選択するか、もしくは、システムが自動的に選択する。この場合、場所が意味することは重要ではない。本当に重要なことは、ユーザがオフィスにいることを知ることであり、このときに、医療プロファイルの情報が共有される情報となる。もちろん、彼／彼女が出て行くと、システムはこの情報を共有しない。また、システムはこの情報をルーム内で、例えば、医療プロファイルを有するユーザに提供することができる。医師として登録されているユーザは患者の医療情報プロファイルにアクセスすることができるが、プロファイルを有さないその他のユーザはアクセスしない。また、それはルーム内もしくはルームの外で、仮想的な要求に関する彼／彼女の医療情報に誰がアクセスすることが許容され、許容されないかユーザが許可することが可能である。医療ファイルデータは血液型のグループであってもよいし、医薬品へのアレルギーなどであってもよい。この情報は、緊急キーからアクセス可能であってもよい。これにより、救急車はユーザが意識不明である場合にアクセスすることができる。
【０１１４】
その他の可能なプロファイルは、例えば、管理者もしくは管理者との関係である。人が、例えば、大使館に行く場合、システムは社会保障番号などを含むことができる管理プロファイルに割り当てられている情報を提供することができる。これらのプロファイルは全ての種類の暗号化技術を使用することができ、これにより、それらはそれらの情報送信において安全である。
【０１１５】
その他のプロファイルは、作業環境についての労働プロファイル、購入についての購入者プロファイル、夜間外出についての余暇プロファイル、旅行者プロファイルであってよい。旅行者プロファイルは、例えば、飛行機もしくは電車の乗客についての食事の特性についての情報を提供する。したがって、ウェイターもしくは飛行機の客室乗務員は乗客の食事のタイプについて既によく知っている。詳細には、それは、仮想チケットに関連付けられることができる。
【０１１６】
これらのプロファイルの全ては、例えば、電車のチケット、もしくは診察室の予約システムと完全に置換するように、自動的にアクティベートされてもよい。
【０１１７】
システムのその他の特性は、インターネットを介してオンライン・ストアの機能を物理的な店舗の機能と共に共有することができることである。これにより、システムはユーザがこの店舗にいることを知ることによって、あなたが訪問している店舗のストック・アイテムについての情報を提供することができる。フィールドを全く追加することなく、オンライン・ストアのあなたのユーザ・カードであなたが注文したいユニットだけ注文するようなオプションを追加する。したがって、物理的な店舗は仮想的な店舗のストックを有することができ、製品の利用可能性が増加するのと同程度にそのフレキシビリティが増加する。それはどの製品がその保管場所を含む店舗にあるのかについての情報を提供される。
【０１１８】
例えば、コーヒー・バーの場合、一般的な製品はテーブルから注文されることができ、それはウェイターと顧客とが同一のルームにいることで十分であり、ウェイターは顧客を彼／彼女の写真もしくはニックネームによって単に識別することができる。
【０１１９】
すなわち、本発明は、ニックネームを任意のロイヤリティ・システムに関連付けるので、仮想のロイヤリティ・カードの生成を、従来よりも効果的な方法で促進する。ニックネームがショップにいるときはいつでも、それは適切であると考えられる有利さをそれに提供する。もし、さらに、我々がユーザと共有するならば、注文のコンテンツは、彼／彼女がルームに入るとき、その好みを知ることができる。
【０１２０】
このシステムの大きな有利さは、ユーザが匿名を保つことができるが、彼／彼女がルームにいるとき、ニックネームを介して検出されることである。さらに、我々は、彼／彼女とユーザ間のメッセージング・システムを介してやり取りすることができる。
【０１２１】
このシステムのその他の特徴は物理的な場所に仮想的なメールボックスを生成することである。これにより、ユーザはそれらのメールボックスからのそれらの情報を整理することができ、それらを介してサイトにコンタクトすることができる。さらに、現在、電子メールも我々が関心を有さない情報で飽和している。しかしながら、特定の場所に仮想的なメールボックスを有するために、それをたいへん興味深くすることができる。これにより、各個人はその特定の場所のメッセージを有することができる。それはこれらの場所の知識に基づいているため、情報を省くためのより興味深い方法である。したがって、ホテルは仮想的に全ての過去及び現在のゲストに、顧客であるという単なる事実により各クライアントがその場所に有する仮想的なメールボックスにメッセージを送信し、情報を提供することができる。このユーザのためのメールボックスは例えば、マップを移動することにより、この場所の外部からアクセス可能であるが、メールボックス自身の中ではない。
【０１２２】
その他の特徴は人々の間で区別可能なエリアもしくは場所を追跡することである。例えば、それらのパーソナル・タイプ、すなわち、プロフェッショナルな使用のためのルームはユーザがその場所にいることを決定したもしくは決定しない第三者によってユーザに知識を許容するが、その場所の個人的な使用は許容されない。この特徴は、人の位置検出システムによって区別不能な追跡の問題を解決する。この種のシステムは、個人をより弱くする情報のプライバシー侵害のため、拒絶される原因となる。特定の場所及び特定の個人の両方のある社会的な特性により、ルームのシステムの特性はタイプを結合する。
【０１２３】
ウェイターがその職にあるという知識、もしくは、少なくとも彼／彼女の電話は、それは、例えば、ビデオもしくはオーディオの記録、もしくは、我々にその個人が彼／彼女の職にあることを知らせる任意の他の方法と結合することができる。ウェイターがその仕事を離れると、公的な他のことについて、ローカルはプライベートもしくはパーソナルな特質を有するが、ウェイターは作業特性を有するため、店舗の責任者はウェイターがしたことにアクセスを有しない。すなわち、システムは、一般的な特質だけでなく、訪問する個人によるその特質に基づく物理的な環境を分類することができる。
【０１２４】
すなわち、例えば、作業場所もしくは個人的なグループのジョブ追跡システムを生成することは可能である。それは、例えば、プロフェッショナルな、もしくはよりプライベートな事項を知ることなしに、我々が行うことを追跡することができ、手動もしくは自動で選択されることができ、一般的及びある場所に特定のクラスもしくはカテゴリに割り当てられる。
【０１２５】
その他の興味深いトピックは、すなわち、グループが同一の物理的な場所に属していることが明らかである場合に、最もＭＡＣに適している場所のルームを定義することである。例えば、クラスにおいて、その場所に、そのとき、クラスという名称のユーザ・グループが存在してもよい。一般的な複数のＭＡＣがあり、全てがあるＭＡＣもしくは異なるＭＡＣを見るので、それらが同一の場所にあることを知られていてもよい。
【０１２６】
すなわち、例えば、ユーザの１人が、例えば、ネットワークＡ及びネットワークＢにアクセスし、何人かのユーザがネットワークＡもしくはネットワークＢだけを見る。すなわち、それらは同一の近接したグループの部分である。時間を識別することに関して、それらがその場所にいる時間を確認すること、もしくは、それらがいるべき場所をデータベースで見ることで十分である。同様に、我々は、例えば、クラス・ビジターなどの識別されたグループを有する。しかし、例えば、それがその場所にいるか否かに拘わらず、このグループが異なる情報へのアクセスを望む場合かもしれない。ユーザの全てがそのクラスに属するカテゴリにグループ化されているので、我々は相互に情報を共有するためにかなり安全なグループを生成することができる。これにより、その場所にまだいるがクラス・グループに属さない人々への仮想環境を廃棄する。
【０１２７】
本発明のその他の関連する態様は、特定の場所においてのみ情報を共有することができることである。すなわち、デジタル情報は、ユーザがいるルームを知ることによってのみ、その空間にいるユーザによって見られることができ、もしくは変更されることができる。したがって、我々は特定のファイルもしくは情報へのアクセスのためのキー及びパスワードを知っていても、そのルームにいる者だけがその情報へアクセスすることができる。例えば、会社は、情報を見るために、もしくはそれを見て、例えば、ルームが生成されたＷｉＦｉに本当に接続するために、その秘密ファイルにユーザが物理的に特定のルームにいることを確認する必要性を割り当てることができる。
【０１２８】
物理的なルームに仮想的にあるこれらのドキュメントは、もちろん、このチェックを有さないものよりも安全性が高い。それは、ユーザをルームと関連付けることによって、情報の確認も可能にする。例えば、我々は仮想チケットがそのユーザに属すること、もしくは、少なくともそのユーザとしてネットワークにおいてアクティベートされていることを知ることができる。これにより、チケットをチェックしているホステスは容易にコピーが可能なデジタル・ドキュメントを見ることがない。彼女はドキュメントを見て、彼女がそのエントリーを画面でアクティベートしたときに、例えば、クライアントのスクリーンとどのようにやり取りするかを見ることもできる。これにより、両者の間に実際の接続が存在する。
【０１２９】
例えば、自動車におけるモバイル空間の場合、通信可能なシチュエーションにないユーザのいずれかはユーザ・サーバのピア・ツー・ピア機能を実行することができ、インターネットへの接続なしに、デバイス間の接続によって、例えば、ＷｉＦｉへの接続の識別子として動作することができる。この例は、サーバの独立した機能を構成するためのものもしくはそのクルーズの範囲内にサーバがある外洋でのクルーズに適している。
【０１３０】
３ＧもしくはＧＰＲＳでユーザが接続を切断した、電車もしくはバスによる移動について、それは、彼／彼女が接続を失ったことを知っているが同時に共通ルームにいることも知っているユーザからの情報を提供するために、メモリ・キャッシュを使用してもよい。したがって、例えば、アクティブ・ユーザのリストを維持する通信エリアに、彼らが再び入る場合、それは更新されるだけであるが、彼／彼女は情報を提供し続けることができる。
【０１３１】
本発明に固有なその他の有利さは、特定の場所もしくはイベントについて報知するウェブ・ページと生成された仮想ルームとを関連付けることが可能であることである。
【図１】
0006023718.tif 000002
【図２】
0006023718.tif 000003
【図３】
0006023718.tif 000004
【図４】
0006023718.tif 000005